(57)【特許請求の範囲】
【請求項１】
卓上に載置可能でドライアイス白煙を発生する卓上白煙発生器であって、
金属で上面が開口した箱体に形成されるとともに、底部及び側壁の内部に真空の断熱用の空間部が形成され、この箱体内部に水または湯を注水可能な水槽部と、
上記水槽部の上部に外側方向に延出し、発生したドライアイス白煙を横方向へ排出する隙間を設けて皿を載置可能なフランジと、
上記水槽部に収納可能な大きさで上面が開放した箱体に形成され、この箱体内部にドライアイスを収納可能なドライアイス収納箱と、
上記水槽部の上側に上記ドライアイス収納箱を保持するとともに、所定の操作により前記ドライアイス収納箱を前記水槽部に注水された水、または湯の中に沈めることが可能な保持部と、
を備え、
上記保持部は、上記水槽部のフランジに固定された固定片と、上記水槽部のフランジにスライド可能に設けられた可動片とを備え、この固定片と可動片とを上記ドライアイス収納箱のスリットに挿入して係止し、上記ドライアイス収納箱を上記水槽部の上部側に保持し、かつ上記可動片をスライドさせてドライアイス収納箱を水槽部の内周壁側に移動させ、このドライアイス収納箱が水槽部の内周壁に突き当たったとき、ドライアイス収納箱の移動は停止されるが、可動片はそのままスライドして可動片とドライアイス収納箱のスリットとの係合が外れ、ドライアイス収納箱の保持を解放してドライアイス収納箱を上記水槽部内に落下させることを特徴とする卓上発煙器。
【請求項２】
上記水槽部のフランジ上にドライアイス白煙発生用の隙間を設けて皿を配置するための隙間形成部材を設けたことを特徴とする請求項１に記載の卓上発煙器。
【発明の詳細な説明】
【０００１】
【発明の属する技術分野】
本発明は、煙を発生させる卓上発煙器に係り、特に断熱効果を高めることが可能な卓上発煙器に関する。
【０００２】
【従来の技術】
従来、歌謡ショーやカラオケ、結婚披露宴やパーティー等の各種イベントでは、ドライアイスに水または温水を加えることにより煙（水蒸気）を発生させ、人物の足元に雲のように漂わせたり、背後から滝のように流下させて興趣を盛り上げることが行われてきた。
【０００３】
この煙による演出の際、煙の発生手段としては、従来から、ドライアイス収納手段、温水供給手段、送風手段などを備えた大型装置で発生させた煙を、配管系を使って所望の場所に導くことが行われてきた。
【０００４】
しかしながら、このような大型の煙発生装置は、イベント会場とは別の場所に設置し、煙配管やブロワなどによって、煙をイベント会場に誘導しなければならず、取り扱い、維持、管理が面倒であり経費が高かった。
【０００５】
このことに対応して、特開平６−１６６５８６号公報には、外筐体内の下側にドライアイス室、上側に温水室を、積み重ね状に設け、該温水室内の温水をドライアイス室内に流下させる連通路に、外筐体の外部より抜栓可能な封栓部を設け、かつ該ドライアイス室の上部適所から、外筐体の上蓋上面に連通する煙道を設けたことを特徴とする卓上発煙器が記載されている。このような従来の卓上発煙器では、イベント会場に直置きすることができ、しかも煙誘導のための配管系などを必要としない。
【０００６】
【発明が解決しようとする課題】
上述した従来の卓上発煙器では、発煙前に温水室に温水が注入され、発煙時に温水室からドライアイス室に温水が注入されるため、外筐体の内側に硬質ウレタン等の断熱材を設けているが、このような断熱材だけでは、十分な断熱効果が得られなかった。
【０００７】
そこで、本発明は、これらの事情に鑑みてなされたもので、卓上に載せて手軽にドライアイス白煙を多量に発生させて周囲に噴出させ、或いは漂わせて楽しむことができ、しかもケーキなどを載置する皿を白煙発生部の上側に設置可能であるとともに、ドライアイス発煙用の湯に対する断熱効果を高めることができる卓上発煙器を提供することを目的とする。
【０００８】
【課題を解決するための手段】
前記目的を達成するため、本発明による卓上発煙器は、卓上に載置可能でドライアイス白煙を発生する卓上発煙器であって、金属で上面が開口した箱体に形成されるとともに、底部及び側壁の内部に真空の断熱用の空間部が形成され、この箱体内部に水または湯を注水可能な水槽部と、上記水槽部の上部に外側方向に延出し、発生したドライアイス白煙を横方向へ排出する隙間を設けて皿を載置可能なフランジと、上記水槽部に収納可能な大きさで上面が開放した箱体に形成され、この箱体内部にドライアイスを収納可能なドライアイス収納箱と、上記水槽部の上側に上記ドライアイス収納箱を保持するとともに、所定の操作により前記ドライアイス収納箱を前記水槽部に注水された水、または湯の中に沈めることが可能な保持部と、を備え、上記保持部は、上記水槽部のフランジに固定された固定片と、上記水槽部のフランジにスライド可能に設けられた可動片とを備え、この固定片と可動片とを上記ドライアイス収納箱のスリットに挿入して係止し、上記ドライアイス収納箱を上記水槽部の上部側に保持し、かつ上記可動片をスライドさせてドライアイス収納箱を水槽部の内周壁側に移動させ、このドライアイス収納箱が水槽部の内周壁に突き当たったとき、ドライアイス収納箱の移動は停止されるが、可動片はそのままスライドして可動片とドライアイス収納箱のスリットとの係合が外れ、ドライアイス収納箱の保持を解放してドライアイス収納箱を上記水槽部内に落下させる。
【００１０】
【発明の実施の形態】
以下、図面に基づいて本発明の一実施の形態を説明する。
図１乃至図８は本発明に係る卓上発煙器の実施の形態を示し、図１は卓上発煙器の断面図、図２は卓上発煙器の外観を示す斜視図、図３は上面図、図４は操作部側から見た側面図、図５は底面図、図６は図４の後側から見た側面図、図７は図４の右側から見た側面図である。
【００１１】
図１において、卓上発煙器１は、金属（本実施の形態の場合、ステンレス鋼）で上面が開口した箱体に形成されるとともに、底部１１及び側壁１２の内部に真空の空間部１３が形成され、この箱体内部に温水（湯）２を注水可能な水槽部１０と、この水槽部１０に収納可能な大きさで上面が開放した箱体に形成され、この箱体内部にドライアイスを収納可能なドライアイス収納箱４０と、前記水槽部１０の上側に前記ドライアイス収納箱４０を保持するとともに、所定の操作により前記ドライアイス収納箱４０を前記水槽部１０に注水された温水２の中に沈めることが可能な保持手段５０と、から構成されている。
【００１２】
水槽部１０は、外箱１４と内箱２０を溶接により一体化したものである。
外箱１４は、ステンレス鋼で形成されており、円筒状の外側側壁１５の下側を底面板１６で閉塞することにより、上面が開口した箱体に形成したものである。
【００１３】
内箱２０は、ステンレス鋼で形成されており、円筒状の内側側壁２１の下側を底面板２２で閉塞し、内側側壁２１の上側に外周に広がる段部２３を介してフランジ２４を設けたものである。段部２３の外周面２５は、外箱１４の外側側壁１５の内周と、高周波溶着等の適当な手段により溶着している。
水槽部１０の底部１１は、底面板１６と底面板２２の二重構造となっている。水槽部１０の側壁１２は、外側側壁１５と内側側壁２１の二重構造となっている。
【００１４】
このような構造により、水槽部１０の内側は、温水２がまた注水される注水部３となり、水槽部１０は、側壁１５，２１、底面板１６，２２、段部２３によって囲まれる空間部１３の気密が保たれている。ここで、空間部１３を真空にする方法は、例えば外側側壁１５に予め空気抜きのパイプを形成し、このパイプにポンプを接続し空間部１３から空気を抜いた後にパイプの内壁を高周波溶着等の適当な手段により溶着し、パイプを閉塞する等の方法が考えられる。
【００１５】
ドライアイス収納箱４０は、ステンレス鋼で形成されており、円筒状の側壁４１の下側を底面板４２で閉塞することにより上面が開放した箱体に形成したものであり、水槽部１０に収納可能な大きさで、かつ、ドライアイスが収納可能となっている。ドライアイス収納箱４０の側壁４１の上側寄りには対向する一対のスリット４３，４４が形成されている。
【００１６】
保持手段５０は、固定収納箱スライド６１と可動収納箱スライド７１とから構成されている。
固定収納箱スライド６１は、ステンレス鋼を板状に形成したものであり、一端側に段部６２を介して溶着部６３が設けられている。この溶着部６３は、フランジ２４の貫通孔２６を介してフランジ２４の下面に延出し、フランジ２４の下面に高周波溶着等の適当な手段により溶着している。固定収納箱スライド６１は、他端側が内箱２０の注水部３の上側に突出し、ドライアイス収納箱４０のスリット４３に挿入されている。固定収納箱スライド６１の他端側の先端にはフック部６４が形成されており、フック部６４は可動収納箱スライド７１の操作によりドライアイス収納箱４０が破線の位置に移動した場合に、ドライアイス収納箱４０のスリット４３を係止するようになっている。
【００１７】
可動収納箱スライド７１は、ステンレス鋼を板状に形成したものであり、一端側に段部６２を介してスライド部７３が設けられている。このスライド部７３は、フランジ２４の貫通孔２７を介してフランジ２４の下面に延出し、保持金具２８によってフランジ２４の下面にスライド可能な状態で取り付けられている。スライド部７３の先端側は、下方に折り曲げることにより操作部７４が形成されている。可動収納箱スライド７１は、他端側が内箱２０の注水部３の上側に突出し、ドライアイス収納箱４０のスリット４４に挿入されている。可動収納箱スライド６１の他端側の先端には斜め下向きの折曲部７５が形成されている。折曲部７５は操作部７４により可動収納箱スライド７１がフランジ２４の外側方向に移動した場合に、ドライアイス収納箱４０の内側に力を加え、ドライアイス収納箱４０を破線の位置に移動させ、この後、ドライアイス収納箱４０のスリット４４から引き抜かれるようになっている。
【００１８】
図２において、卓上発煙器１は、水槽部１０にドライアイス収納箱４０が収納されるている。ドライアイス収納箱４０のスリット４３，４４には、それぞれ固定収納箱スライド６１と可動収納箱スライド７１が挿入されている。図２の場合、可動収納箱スライド７１を操作する以前の状態を示しており、ドライアイス収納箱４０のスリット４３は、固定収納箱スライド６１のフック部６４よりも外周側に位置している。
【００１９】
ドライアイス収納箱４０の底面部４２には、水槽部１０の温水に沈んだ際に、温水を内部に流入させるためのスリット４５が複数形成されている。スリット４５は、温水を通過させることができる貫通部となっている。
【００２０】
また、水槽部１０のフランジ部２４の外周には、上側に向けて傾斜した縁部２９が形成されている。水槽部１０のフランジ部２４の所定位置には、ゴム製のスペーサ３１，３２，３３が設けられている。
可動収納箱スライド７１の操作部７４は、フランジ部２４の下側に突出している。
【００２１】
図３において、固定収納箱スライド６１と可動収納箱スライド７１とは、フランジ部２４の対向する位置に設けられており、ドライアイス収納箱４０を注水部３の上側に安定して冴えるようになっている。ドライアイス収納箱４０の底面部４２には、スリット４５が６か所設けられている。スペーサ３１，３２，３３は、フランジ部２４の上面の円周上に等間隔で設けられている。
【００２２】
可動収納箱スライド７１のスライド部７３を保持する保持金具２８は、図４及び図５に示すように、ステンレス鋼で形成され、一端側と他端側に溶着部３４，３５が設けられており、この溶着部３４，３５は、水槽部１０のフランジ２４の下面に高周波溶着等の適当な手段により溶着している。
【００２３】
フランジ２４の可動収納箱スライド７１に対向する位置には、図５及び図６に示すように、固定収納箱スライド６１の溶着部６３が溶着されているが、溶着部６３は、なるべく目立たないように、フランジ２４から余り突出しないように形成している。
【００２４】
図７において、可動収納箱スライド７１は、操作部７４を図中Ａ方向、即ち外側方向に引くこしにより、水槽部１０のフランジ２４及び保持金具２８及びに対してスライド部７３が摺動し、可動収納箱スライド７１全体が移動する。
【００２５】
図１乃至図７に示した卓上発煙器１の動作を図８及び図９を参照して説明する。
図８及び図９は本発明の動作を示す説明図であり、図８は可動収納箱スライド７１の操作による動作を示し、図９は発煙を行う場合の動作を示している。
まず、可動収納箱スライド７１の操作による動作に限定して説明する。
【００２６】
図２の状態から可動収納箱スライド７１の操作部７４を外側方向に引と、折曲部７５によりドライアイス収納箱４０は外側方向に移動し、固定収納箱スライド６１のフック部６４がドライアイス収納箱４０のスリット４３を係止た状態で折曲部７５がドライアイス収納箱４０のスリット４４から引き抜かれるようになっている。折曲部７５がスリット４４から引き抜かれると、図８に示すように、ドライアイス収納箱４０の可動収納箱スライド７１側が水槽部１０の注水部３に落下するが、固定収納箱スライド６１のフック部６４はドライアイス収納箱４０のスリット４３を係止したままで、ドライアイス収納箱４０の固定収納箱スライド６１側は落下していない。
【００２７】
次に、このような卓上発煙器１を使用する場合を説明する。
まず、図２の状態の固定収納箱スライド６１と可動収納箱スライド７１とからドライアイス収納箱４０を外した状態で、水槽部１０の注水部３に温水２を注水し、ドライアイス収納箱３０にドライアイス４（図９参照）を収納する。次に、してドライアイス収納箱４０のスリット４３，４４にそれぞれ固定収納箱スライド６１と可動収納箱スライド７１が挿入して、ドライアイス収納箱４０を固定収納箱スライド６１と可動収納箱スライド７１に取り付ける。フランジ２４のスペーサ３１，３２，３３の上には、皿５（図９参照）に乗せられたデコレーションケーキ６（図９参照）を配置する。可動収納箱スライド７１を操作する前の状態では、水槽部１０の温水２とドライアイス収納箱３０のドライアイス４は接触せず、煙（水蒸気）は発生しない。
【００２８】
次に、例えば、可動収納箱スライド７１の操作部７４を指で外側に引っ張ると、ドライアイス収納箱４０のスリット４４から可動収納箱スライド７１が抜き取られ、図９に示すように、ドライアイス収納箱４０の可動収納箱スライド７１側が水槽部１０の注水部３の温水２に落下する。すると、ドライアイス収納箱４０には、スリット４５から温水２が侵入し、温水２とドライアイス４が反応して煙（水蒸気）７が発生し、煙７がフランジ２４と皿５の間を通って噴出し、デコレーションケーキ６及び卓上発煙器１の回りに広がる。これにより、イベント演出に好適な煙発生が実現されることとなる。
【００２９】
ここで、ドライアイス４としては、デコレーションケーキ６のパッケージに取り付けられているものを用いる等、各種適用可能である。
このような実施の形態によれば、卓上発煙器１の水槽部１０は、底部１１及び側壁１２の内部に真空の空間部１３が形成されているので、断熱材に比べて熱が内側から外側に伝わりにくく、ドライアイス発煙用の湯に対する断熱効果を高めることができ、水槽部１０の外面が熱くなりすぎて不快な印象を与えるのを防止できる。
【００３０】
図１０乃至図１９は本発明に係る卓上発煙器の第２の実施の形態を示し、図１０は卓上発煙器の分解斜視図、図１１は水滴防止板の下側から見た斜視図、図１２は水滴防止板の上面図、図１３はトレーを下側から見た斜視図、図１４は水槽部に水滴防止板を取り付けた状態の斜視図、図１５は卓上発煙器の組み立てた状態の斜視図、図１６は卓上発煙器の分解した状態の側方から見た断面図、図１７は卓上発煙器の組み立てた状態の側方から見た断面図、図１８は図１２のＡ−Ａ線断面図、図１９は図１７のＢ−Ｂ線断面図である。
【００３１】
図１０において、卓上発煙器１０１は、水槽部１１０と、ドライアイス収納箱４０と、保持手段５０と、水滴防止板２０１と、トレー３０１とから構成されている。
【００３２】
ドライアイス収納箱４０と保持手段５０は、図１乃至図９に示した実施の形態と同様の構造になっている。ドライアイス収納箱４０は水槽部１１０の注水部１０３に収納される。保持手段５０は、水槽部１１０の上側に前記ドライアイス収納箱４０を保持する。
【００３３】
水槽部１１０のフランジ部１２４の外周には、上側に向けて傾斜した縁部１２９が形成されている。水槽部１１０のフランジ部１２４の中間部には下側に向けて膨らんだリング状の段部１２５が形成されている。段部１２５上面の所定位置には、金属製のトレーサポート１３１，１３２，１３３が設けられている。
【００３４】
水滴防止板２０１は、板状に形成され、前記ドライアイス収納箱４０を収納した前記水槽部１１０の上側に配置される。また、水滴防止板２０１は、その板面により、前記水槽部１１０に注水された水または湯の中に前記ドライアイスを沈めた場合に発生する水滴が上側に飛び散るのを防止し、この場合に発生する水蒸気を水平方向に通過させてから上側に導く隙間２０２が形成されている。
【００３５】
より詳しく説明すると、水滴防止板２０１は、大小２枚の円盤状の板状部材２０３，２０４を隙間２０２を介して上下に配置したものであり、板状部材２０３の中央には、隙間２０２からの気体を上側に導くための開口部２０５が形成されている。板状部材２０３，２０４はステンレス鋼で形成されている。
【００３６】
板状部材２０３の外周には舌片２１１，２２１，２１２，２２２，２１３，２２３が設けられている。舌片２１１，２１２，２１３にはトレーサポート１３１，１３２，１３３の先端部１３４，１３５，１３６がそれぞれ挿入される貫通孔２１４，２１５，２１６がそれぞれ形成されている。舌片２２１，２２２，２２３の上面にはトレー受け用ゴム座２２４，２２５，２２６がそれぞれ取り付けられている。
【００３７】
トレー３０１は、ステンレス鋼で円盤状に形成されるとともに、トレーサポート１３１，１３２，１３３に対応する位置に下側に膨らんだ円形の段部３１１，３１２，３１３がそれぞれ形成されている。これら段部３１１，３１２，３１３の底部には、トレーサポート１３１，１３２，１３３の先端部１３４，１３５，１３６が挿入さる貫通孔３１４，３１５，３１６がそれぞれ形成されている。また、トレー３０１の外周には、上側に向けて傾斜した縁部３１７が形成されている。
【００３８】
次に、図１１及び図１２を用いて水滴防止板２０１を詳細に説明する。
図１１及び図１２に示すように、小型の板状部材２０４は、３本の棒状の取付部材２０６により隙間２０２を形成して大型の板状部材２０３の下面に中心を一致させて取り付けられている。小型の板状部材２０４は、水滴防止板２０１を真下から見た状態で開口部２０５を隠すようになっている。板状部材２０３の下面の縁部には、リング状のスペーサ２０７が取り付けられている。スペーサ２０７は弾性を有する部材（本実施の形態ではゴム）で形成されている。
【００３９】
図１２に示すように、板状部材２０３、２０４、スペーサ２０７は中心軸Ｐ１を中心とする同心円状に形成されている。板状部材２０３の外周には舌片２１１，２２１，２１２，２２２，２１３，２２３が右回りの順に等間隔で取り付けられている。３本の取付部材２０６は板状部材２０３の開口部２０５の外周に等間隔で取り付けられている。
【００４０】
次に、図１３を用いてトレー３０１の下方を説明する。
図１３に示すように、トレー３０１に形成された円形の段部３１１，３１２，３１３は、 トレー３０１の下面から下方に突出している。
【００４１】
次に、図１４を用いて水槽部１１０に水滴防止板２０１を取り付けた状態を説明する。
図１４に示すように、水槽部１１０に水滴防止板２０１を取り付ける場合には、舌片２１１，２１２，２１３に形成された貫通孔２１４，２１５，２１６に、それぞれトレーサポート１３１，１３２，１３３の先端部１３４，１３５，１３６を挿入する。これにより、水滴防止板２０１は、図１０に示した水槽部１１０の注水部１０３を上から覆うことになる。トレーサポート１３１，１３２，１３３の先端部１３４，１３５，１３６は貫通孔２１４，２１５，２１６から舌片２１１，２１２，２１３の上側に突出する。
【００４２】
次に、図１５を用いて水滴防止板２０１を取り付けた水槽部１１０にトレー３０１を取り付けた状態を説明する。
【００４３】
図１５に示すように、水槽部１１０にトレー３０１を取り付ける場合には、トレー３０１の段部３１１，３１２，３１３に形成された貫通孔３１４，３１５，３１６に、図１４に示した舌片２１１，２１２，２１３から突出した先端部１３４，１３５，１３６を挿入する。これにより、トレー３０１は、水槽部１１０に安定した状態で取り付けられる。
【００４４】
次に、卓上発煙器１０１の細部について説明する。
図１６に示すように、水槽部１１０は、底部１１１及び側壁１１２の内部に真空の空間部１１３が形成され、この箱体内部に温水（湯）２を注水可能になっている。この場合の水槽部１１０は、外箱１１４と内箱１２０を溶接により一体化したものである。
【００４５】
水滴防止板２０１の小型の板状部材２０４は、ドライアイス収納箱４０の収納部によりも小さく形成されとともに、大型の板状部材２０３の開口部２０５よりも大きく形成されている。取付部材２０６は、板状部材２０３の開口部２０５よりも外周に取り付けられている。
【００４６】
水滴防止板２０１のスペーサ２０７は、弾性部材をリング状に形成したものであり、その外周が水槽部１１０の段部１２５の内径とほぼ同じサイズとなり、内径が水槽部１１０のフランジ部１２４の内径よりも小さくなっている。
【００４７】
トレーサポート１３３は、大径の円柱部１３７の一端側に小径の先端部１３６を形成し、他端側の端面にねじ穴を形成したものである。水槽部１１０の段部１２５には貫通孔１２６が形成されている。ボルト１２７は、そのねじ部が、段部１２５の貫通孔１２６に下側から挿入され、円柱部１３７の他端側のねじ穴に螺入することにより、トレーサポート１３３を段部１２５に取り付けている。
【００４８】
トレーサポート１３３の先端部１３６は、下から順に舌片２１３の貫通孔２１６、段部３１３の貫通孔３１６に挿入される。水滴防止板２０１の貫通孔２１６が形成された舌片２１３の反対側には、トレー受け用ゴム座２２４を取り付けた舌片２２１が設けられている。このことは、他のトレーサポート１３１，１３２についても同様である。トレー３０１の縁部３１７の外周は、下側に向けて丸め込まれている。
【００４９】
図１７に示すように、卓上発煙器１０１の組み立てた状態では、トレーサポート１３３の先端部１３６が水滴防止板２０１の舌片２１３の貫通孔２１６及びトレー３０１の段部３１３の貫通孔３１６に挿入されことにより、水滴防止板２０１及びトレー３０１は水槽部１１０に左右に動かない状態で取り付けられる。この状態では、水滴防止板２０１の舌片２１３はトレーサポート１３３の円柱部１３７に接触して下から支えられ、トレー３０１の段部３１３は水滴防止板２０１の舌片２１３に接触して下から支えられている。舌片２２１に取り付けられたトレー受け用ゴム座２２４はトレー３０１の下面を下側から支えている。
【００５０】
水槽部１１０のフランジ部１２４の段部１２５より内側は、水滴防止板２０１のスペーサ２０７と密着している。これにより、フランジ部１２４と水滴防止板２０１の板状部材２０３との間から水滴や水蒸気が流出しないようになっている。
【００５１】
次に、取付部材２０６について図１８を用いて詳細に説明する。
図１８において、取付部材２０６は管状部材２３１とねじ２３２とナット２３３とから成る。板状部材２０３、２０４には、それぞれ貫通孔２３４，２３５が形成されている。貫通孔２３４，２３５は管状部材２３１の外径よりも小さく形成されている。
【００５２】
ねじ２３２のねじ部は、上側から板状部材２０３の貫通孔２３４、管状部材２３１の貫通孔２３６及び板状部材２０４の貫通孔２３５に挿入され、ナット２３３のねじ孔に螺入される。これにより、取付部材２０６は、板状部材２０３、２０４を隙間２０２を介して取り付け固定するようになっている。
【００５３】
水滴防止板２０１の舌片２２１及びトレー受け用ゴム座２２４について図１９を用いて詳細に説明する。
トレー受け用ゴム座２２４は外周が上側に向けて先細りとなる円錐形に形成されている。トレー受け用ゴム座２２４は、上面には凹部２４２が形成され、この凹部２４２の底から下方に向けて貫通孔２４３が形成されている。
【００５４】
舌片２２１には、雌ねじ部２４１が形成されている。ねじ２４０は、そのねじ部が前記トレー受け用ゴム座２２４の貫通孔２４３に挿入され雌ねじ部２４１に螺入されることにより、舌片２２１にトレー受け用ゴム座２２４をねじ止め固定している。またこの場合、ねじ２４０のねじ頭は凹部２４２に挿入されており、トレー受け用ゴム座２２４より上側に突出しないようになっている。
【００５５】
このような構造により、卓上発煙器１０１を組み立てた状態では、トレー受け用ゴム座２２４の上面はトレー３０１の下面に密着してトレー３０１を安定させて下側から支えることができる。
【００５６】
このような実施の形態の動作を以下に説明する。
保持手段５０の可動収納箱スライド７１の操作して、ドライアイス収納箱４０とともにドライアイスを前記水槽部１１０に注水された水または湯の中に沈めた場合には、温水２とドライアイス４が反応して煙（水蒸気）が発生し、煙が板状部材２０３、２０４の間の隙間２０２、板状部材２０４の開口部２０５及び板状部材２０４とトレー３０１の隙間を通って噴出し、デコレーションケーキ等が配置されたトレー３０１の回りに広がる。これにより、イベント演出に好適な煙発生が実現されることとなる。
【００５７】
この場合に、ドライアイスを前記水槽部１１０に注水された水または湯の中に沈めた場合に発生する水滴は、隙間２０２を通過できず、板状部材２０３、２０４の板面に阻止され外側に飛び散ることが不可能になる。
【００５８】
以上、説明したように、図１０乃至図１９に示した実施の形態によれば、図１の実施の形態と同様に水槽部１１０の外面が熱くなりすぎて不快な印象を与えるのを防止できるとともに、ドライアイスを前記水槽部１１０に注水された水または湯の中に沈めた場合に発生する水滴が卓上発煙器１０１が外側に飛び散るのを防止できるという効果もある。
【００５９】
尚、図１乃至図１９の実施の形態では、水槽部はステンレス鋼で形成したが、チタン合金のような他の耐食性が高い金属で形成してもよい。また、図１乃至図１９に示した実施の形態では、ドライアイス発煙用の液体として高い発煙量を期待できる湯を用いたが、ドライアイス発煙用の液体として冷水を用いてもよく、この場合には水槽部１０の外面が冷たくなりすぎるのを防止できるという効果がある。
【００６０】
【発明の効果】
以上説明したように本発明によれば、卓上に載せて手軽にドライアイス白煙を多量に発生させて周囲に噴出させ、或いは漂わせて楽しむことができ、しかもケーキなどを載置する皿を白煙発生部の上側に設置可能であるとともに、ドライアイス発煙用の湯に対する断熱効果を高めることができる。
【図面の簡単な説明】
【図１】本発明に係る卓上発煙器の実施の形態を示す断面図。
【図２】図１の卓上発煙器の外観を示す斜視図。
【図３】図１の卓上発煙器の上面図。
【図４】図１の卓上発煙器の操作部側から見た側面図。
【図５】図１の卓上発煙器の底面図。
【図６】図４の後側から見た卓上発煙器の側面図。
【図７】図４の右側から見た卓上発煙器の側面図。
【図８】図１の実施の形態の動作を示す第１の説明図。
【図９】図１の実施の形態の動作を示す第２の説明図。
【図１０】本発明に係る卓上発煙器の第２の実施の形態を示す卓上発煙器の分解斜視図。
【図１１】図１０の水滴防止板の下側から見た斜視図。
【図１２】図１０の水滴防止板の上面図。
【図１３】図１０のトレーを下側から見た斜視図。
【図１４】図１０の水槽部に水滴防止板を取り付けた状態の斜視図。
【図１５】図１０の卓上発煙器の組み立てた状態の斜視図。
【図１６】図１０の卓上発煙器の分解した状態の側方から見た断面図。
【図１７】図１０の卓上発煙器の組み立てた状態の側方から見た断面図。
【図１８】図１２のＡ−Ａ線断面図。
【図１９】図１６のＢ−Ｂ線断面図。
【符号の説明】
１    卓上発煙器
２    温水
１０    水槽部
１１    底部
１２    側壁
１３    空間部
４０    ドライアイス収納箱
５０    保持手段
【図１】
0004732613.tif 000002
【図２】
0004732613.tif 000003
【図３】
0004732613.tif 000004
【図４】
0004732613.tif 000005
【図５】
0004732613.tif 000006
【図６】
0004732613.tif 000007
【図７】
0004732613.tif 000008
【図８】
0004732613.tif 000009
【図９】
0004732613.tif 000010
【図１０】
0004732613.tif 000011
【図１１】
0004732613.tif 000012
【図１２】
0004732613.tif 000013
【図１３】
0004732613.tif 000014
【図１４】
0004732613.tif 000015
【図１５】
0004732613.tif 000016
【図１６】
0004732613.tif 000017
【図１７】
0004732613.tif 000018
【図１８】
0004732613.tif 000019
【図１９】
0004732613.tif 000020